(57)【特許請求の範囲】
【請求項１】
無線通信システムにおける端末（Ｕｓｅｒ  Ｅｑｕｉｐｍｅｎｔ：ＵＥ）の動作方法であって、
ＰＵＣＣＨ（Ｐｈｙｓｉｃａｌ  Ｕｐｌｉｎｋ  Ｃｏｎｔｒｏｌ  Ｃｈａｎｎｅｌ）リソースが構成されていない第２セカンダリーセル（ＳＣｅｌｌ）を構成するための構成情報を受信する段階と、
前記構成情報が、前記第２ＳＣｅｌｌに対するＨＡＲＱフィードバックが第１ＳＣｅｌｌで送信されることを前記ＵＥに知らせるＰＵＣＣＨセル情報を含むかに基づいて、前記第２ＳＣｅｌｌが、プライマリーセル（ＰＣｅｌｌ）を含む第１ＰＵＣＣＨグループ、又は、ＰＵＣＣＨリソースで構成された第１ＳＣｅｌｌを含む第２ＰＵＣＣＨグループに属するかを決定する段階と、
前記第１ＰＵＣＣＨグループに属する複数のセルに対する第１ＨＡＲＱフィードバックを前記ＰＣｅｌｌに送信する段階と、
前記第２ＰＵＣＣＨグループに属する複数のセルに対する第２ＨＡＲＱフィードバックを前記第１ＳＣｅｌｌに送信する段階と、
前記第２ＳＣｅｌｌが前記第１ＰＵＣＣＨグループに又は前記第２ＰＵＣＣＨグループに属するかを決定する段階は、
前記構成情報が前記ＰＵＣＣＨセル情報を含まないことに基づいて、前記第２ＳＣｅｌｌは前記第１ＰＵＣＣＨグループに属すると決定する段階と、
前記構成情報が前記ＰＵＣＣＨセル情報を含むことに基づいて、前記第２ＳＣｅｌｌは前記第２ＰＵＣＣＨグループに属すると決定する段階を含む、方法。
【請求項２】
ＰＵＣＣＨリソースが構成されていない第３ＳＣｅｌｌを構成するための構成情報を受信する段階と、
前記第３ＳＣｅｌｌを構成するための構成情報が、前記第３ＳＣｅｌｌに対する前記ＨＡＲＱフィードバックが前記第１ＳＣｅｌｌに送信されることを前記ＵＥに知らせるＰＵＣＣＨセル情報を含むことに基づいて、前記第３ＳＣｅｌｌが前記第１ＰＵＣＣＨグループ又は前記第２ＰＵＣＣＨグループに属するかを決定する段階をさらに含む、請求項１に記載の方法。
【請求項３】
前記第１ＰＵＣＣＨグループは、前記ＰＣｅｌｌと、ＰＵＣＣＨリソースを有しない０個又はそれ以上のＳＣｅｌｌを含み、前記第２ＰＵＣＣＨグループは、前記第１ＳＣｅｌｌと、ＰＵＣＣＨリソースを有しない０個又はそれ以上のＳＣｅｌｌを含む、請求項１に記載の方法。
【請求項４】
前記第１ＨＡＲＱフィードバックは前記第１ＰＵＣＣＨグループに属するそれぞれのセルに対するＨＡＲＱフィードバックを含み、前記第１ＨＡＲＱフィードバックは前記第１ＰＵＣＣＨグループに属する前記複数のセルの中の非活性化されたセルに対するＮＡＣＫを表すＨＡＲＱフィードバックを含み、
前記第２ＨＡＲＱフィードバックは前記第２ＰＵＣＣＨグループに属するそれぞれのセルに対するＨＡＲＱフィードバックを含み、前記第２ＨＡＲＱフィードバックは前記第２ＰＵＣＣＨグループに属する前記複数のセルの中の非活性化されたセルに対するＮＡＣＫを表すＨＡＲＱフィードバックを含む、請求項１から３のいずれか一項に記載の方法。
【請求項５】
前記ＰＣｅｌｌと前記第１ＳＣｅｌｌは基地局に属する、請求項１から４のいずれか一項に記載の方法。
【請求項６】
無線通信システムにおいて動作する端末（ＵＥ）であって、
送受信器と、
プロセッサを含み、
前記プロセッサは、
ＰＵＣＣＨ（Ｐｈｙｓｉｃａｌ  Ｕｐｌｉｎｋ  Ｃｏｎｔｒｏｌ  Ｃｈａｎｎｅｌ）リソースが構成されていない第２セカンダリーセル（ＳＣｅｌｌ）を構成するための構成情報を受信し、
前記構成情報が、前記第２ＳＣｅｌｌに対するＨＡＲＱフィードバックが第１ＳＣｅｌｌで送信されることを前記ＵＥに知らせるＰＵＣＣＨセル情報を含むかに基づいて、前記第２ＳＣｅｌｌが、プライマリーセル（ＰＣｅｌｌ）を含む第１ＰＵＣＣＨグループ、又は、ＰＵＣＣＨリソースで構成された第１ＳＣｅｌｌを含む第２ＰＵＣＣＨグループに属するかを決定し、
前記第１ＰＵＣＣＨグループに属する複数のセルに対する第１ＨＡＲＱフィードバックを前記ＰＣｅｌｌに送信し、
前記第２ＰＵＣＣＨグループに属する複数のセルに対する第２ＨＡＲＱフィードバックを前記第１ＳＣｅｌｌに送信し、
前記第２ＳＣｅｌｌが前記第１ＰＵＣＣＨグループに又は前記第２ＰＵＣＣＨグループに属するか決定することは、
前記構成情報が前記ＰＵＣＣＨセル情報を含まないことに基づいて、前記第２ＳＣｅｌｌは前記第１ＰＵＣＣＨグループに属すると決定することと、
前記構成情報が前記ＰＵＣＣＨセル情報を含むことに基づいて、前記第２ＳＣｅｌｌは前記第２ＰＵＣＣＨグループに属すると決定することを含む、端末。
【請求項７】
前記プロセッサは、さらに、
ＰＵＣＣＨリソースが構成されていない第３ＳＣｅｌｌを構成するための構成情報を受信し、
前記第３ＳＣｅｌｌを構成するための構成情報が、前記第３ＳＣｅｌｌに対する前記ＨＡＲＱフィードバックが前記第１ＳＣｅｌｌに送信されることを前記ＵＥに知らせるＰＵＣＣＨセル情報を含むことに基づいて、前記第３ＳＣｅｌｌが前記第１ＰＵＣＣＨグループ又は前記第２ＰＵＣＣＨグループに属するかを決定する、請求項６に記載の端末。
【請求項８】
前記第１ＰＵＣＣＨグループは前記ＰＣｅｌｌとＰＵＣＣＨリソースを有しない０個又はそれ以上のＳＣｅｌｌを含み、前記第２ＰＵＣＣＨグループは前記第１ＳＣｅｌｌとＰＵＣＣＨリソースを有しない０個又はそれ以上のＳＣｅｌｌを含む、請求項６又は７に記載の端末。
【請求項９】
前記第１ＨＡＲＱフィードバックは前記第１ＰＵＣＣＨグループに属するそれぞれのセルに対するＨＡＲＱフィードバックを含み、前記第１ＨＡＲＱフィードバックは前記第１ＰＵＣＣＨグループに属する前記複数のセルの中の非活性化されたセルに対するＮＡＣＫを表すＨＡＲＱフィードバックを含み、
前記第２ＨＡＲＱフィードバックは前記第２ＰＵＣＣＨグループに属するそれぞれのセルに対するＨＡＲＱフィードバックを含み、前記第２ＨＡＲＱフィードバックは前記第２ＰＵＣＣＨグループに属する前記複数のセルの中の非活性化されたセルに対するＮＡＣＫを表すＨＡＲＱフィードバックを含む、請求項６から８のいずれか一項に記載の端末。
【請求項１０】
前記ＰＣｅｌｌと前記第１ＳＣｅｌｌは基地局に属する、請求項６から９のいずれか一項に記載の端末。
【発明の詳細な説明】
【技術分野】
【０００１】
本発明は無線通信システムに関するもので、より詳しくは搬送波集成システムにおいて多重化したＨＡＲＱを送信する方法及びそのための装置に関するものである。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という）通信システムについて概略的に説明する。
【０００３】
図１は、無線通信システムの一例として、Ｅ―ＵＭＴＳ網の構造を概略的に示した図である。Ｅ―ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在、３ＧＰＰで基礎的な標準化作業を進めている。一般に、Ｅ―ＵＭＴＳは、ＬＴＥ（Ｌｏｎｇ  Ｔｅｒｍ  Ｅｖｏｌｕｔｉｏｎ）システムと称することもできる。ＵＭＴＳ及びＥ―ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【０００４】
図１を参照すると、Ｅ―ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ―ＵＴＲＡＮ）の終端に位置し、外部ネットワークと接続される接続ゲートウェイ（Ａｃｃｅｓｓ  Ｇａｔｅｗａｙ；ＡＧ）を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５ＭＨｚ、２．５ＭＨｚ、５ＭＨｚ、１０ＭＨｚ、１５ＭＨｚ、２０ＭＨｚなどの帯域幅のうち一つに設定され、多くの端末に下りリンク又は上りリンク送信サービスを提供する。互いに異なるセルは、互いに異なる帯域幅を提供するように設定することができる。基地局は、多数の端末に対するデータ送受信を制御する。下りリンク（Ｄｏｗｎｌｉｎｋ；ＤＬ）データに対して、基地局は、下りリンクスケジューリング情報を送信し、該当端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データに対して、基地局は、上りリンクスケジューリング情報を該当端末に送信し、該当端末が使用可能な時間／周波数領域、符号化、データサイズ、ＨＡＲＱ関連情報などを知らせる。各基地局間には、ユーザトラフィック又は制御トラフィックの送信のためのインターフェースを使用することができる。核心網（Ｃｏｒｅ  Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術が広帯域符号分割多元接続（ＷＣＤＭＡ）に基づくＬＴＥに発展して来たが、使用者及びサービス提供者の要求と期待はずっと増加している。また、開発中の他の無線接続技術を考慮すると、未来の高い競争力を確保するために新しい技術的進化が必要である。ビット当たりコスト減少、サービス効用の増加、周波数帯域の柔軟な使用、簡素化した構造、オープンインターフェース、端末（ＵＥ）の適切な電力消費などが要求される。
【発明の概要】
【発明が解決しようとする課題】
【０００７】
本発明は前記問題点を解決するために、搬送波集成（ｃａｒｒｉｅｒ  ａｇｇｒｅｇａｔｉｏｎ）システムにおいて多重化したＨＡＲＱフィードバックを送信するための方法及び装置を提供することを目的とする。本発明によって解決される技術的課題は前述した技術的課題に制限されず、当該分野の通常の知識を有する者は以下で説明する他の技術的課題を理解することができる。
【課題を解決するための手段】
【０００８】
前記本発明の目的は、基地局（ｅｎｈａｎｃｅｄ−ＮｏｄｅＢ：ｅＮＢ）に属する多数のセルを第１ＰＵＣＣＨ（Ｐｈｙｓｉｃａｌ  Ｕｐｌｉｎｋ  Ｃｏｎｔｒｏｌ  Ｃｈａｎｎｅｌ）グループと第２ＰＵＣＣＨグループにグループ化する段階であって、前記多数のセルそれぞれは前記第１ＰＵＣＣＨグループと第２ＰＵＣＣＨグループのいずれか一方に属する、段階と、前記第１ＰＵＣＣＨグループでＰＵＣＣＨリソースで第１セルを構成し、前記第２ＰＵＣＣＨグループでＰＵＣＣＨリソースで第２セルを構成する段階と、前記第１ＰＵＣＣＨグループに属する全てのセルの全てのＨＡＲＱ（Ｈｙｂｒｉｄ−ＡＲＱ）プロセスのＨＡＲＱフィードバックを多重化して第１ＨＡＲＱフィードバックを生成する段階と、前記第２ＰＵＣＣＨグループに属する全てのセルの全てのＨＡＲＱプロセスのＨＡＲＱフィードバックを多重化して第２ＨＡＲＱフィードバックを生成する段階と、ＰＵＣＣＨリソースを有する第１セルで第１ＨＡＲＱフィードバックを送信し、ＰＵＣＣＨリソースを有する第２セルで第２ＨＡＲＱフィードバックを送信する段階を含む、無線通信システムにおける端末（Ｕｓｅｒ  Ｅｑｕｉｐｍｅｎｔ：ＵＥ）の動作方法を提供することによって達成可能である。
【０００９】
本発明の他の態様において、ＰＵＣＣＨリソースで第１セルを構成し、ＰＵＣＣＨリソースで第２セルを構成する段階であって、前記第１セルと第２セルは基地局に属する、段階と、ＰＵＣＣＨリソースを有しない０個又はそれ以上の第３セルを構成する段階であって、前記ＰＵＣＣＨリソースを有しない０個又はそれ以上の第３セルは前記第１セルと第２セルのいずれか一方と関連する、段階と、前記第１セルと第１セルと関連した第３セルの全てのＨＡＲＱプロセッサのＨＡＲＱフィードバックを多重化して第１ＨＡＲＱフィードバックを生成する段階と、前記第２セルと第２セルと関連した第３セルの全てのＨＡＲＱプロセッサのＨＡＲＱフィードバックを多重化して第２ＨＡＲＱフィードバックを生成する段階と、ＰＵＣＣＨリソースを有する第１セルで第１ＨＡＲＱフィードバックを送信し、ＰＵＣＣＨリソースを有する第２セルで第２ＨＡＲＱフィードバックを送信する段階を含む、無線通信システムにおける端末の動作方法を提供することによって達成可能である。
【００１０】
好ましくは、前記第１ＰＵＣＣＨグループは前記第１セルと、ＰＵＣＣＨリソースを有しない０個又はそれ以上のセルを含み、前記第２ＰＵＣＣＨグループは前記第２セルと、ＰＵＣＣＨリソースを有しない０個又はそれ以上のセルを含む。
【００１１】
好ましくは、前記端末が前記第１セルを構成するとき、前記端末がＰＵＣＣＨリソースを有しない前記０個又はそれ以上の第３セルのうちでどのセルが前記第１セルと関連するかを示す指示を受信する。
【００１２】
好ましくは、前記端末が前記第１セルを構成するとき、前記端末が前記指示を受信しなければ、前記第１セルが前記０個又はそれ以上の第３セルのいずれのセルとも関連しない。
【００１３】
好ましくは、前記端末が前記第２セルを構成すると、前記端末がＰＵＣＣＨリソースを有しない前記０個又はそれ以上の第３セルのうちでどのセルが前記第２セルと関連するかを示す指示を受信する。
【００１４】
好ましくは、前記端末が前記０個又はそれ以上の第３セルのうちで第３セルを構成するとき、前記端末がＰＵＣＣＨリソースを有するどのセルが前記第３セルと関連するかを示す指示を受信する。
【００１５】
好ましくは、前記端末が前記０個又はそれ以上の第３セルのうちで第３セルを構成するとき、前記端末が前記指示を受信しなければ、前記第３セルはＰＣｅｌｌ（Ｐｒｉｍａｒｙ  ｃｅｌｌ）と関連する。
【００１６】
好ましくは、前記端末が前記第１ＰＵＣＣＨグループに属する全てのセルの全てのＨＡＲＱプロセスのＨＡＲＱフィードバックを多重化するとき、前記端末は、第１ＰＵＣＣＨグループに属するセルのＨＡＲＱプロセスが受信されたＴＢ（Ｔｒａｎｓｐｏｒｔ  Ｂｌｏｃｋ）を成功裏にデコードすれば、このＨＡＲＱプロセスのＨＡＲＱフィードバックをＡＣＫ（Ａｃｋｎｏｗｌｅｇｄｅｍｅｎｔ）と見なし、第１ＰＵＣＣＨグループに属するセルのＨＡＲＱプロセスが非活性化セルに割り当てられたりＨＡＲＱプロセスがＴＢを受信することができなくなったりＨＡＲＱプロセスが受信されたＴＢのデコーディングに失敗した場合、このＨＡＲＱプロセスのＨＡＲＱフィードバックをＮＡＣＫ（Ｎｅｇａｔｉｖｅ−Ａｃｋｎｏｗｌｅｇｄｅｍｅｎｔ）と見なし、前記端末が第２ＰＵＣＣＨグループに属する全てのセルの全てのＨＡＲＱプロセスのＨＡＲＱフィードバックを多重化するとき、前記端末は、第２ＰＵＣＣＨグループに属するセルのＨＡＲＱプロセスが受信されたＴＢを成功裏にデコードすれば、このＨＡＲＱプロセスのＨＡＲＱフィードバックをＡＣＫと見なし、第２ＰＵＣＣＨグループに属するセルのＨＡＲＱプロセスが非活性化セルに割り当てられたりＨＡＲＱプロセスがＴＢを受信することができなくなったりＨＡＲＱプロセスが受信されたＴＢのデコーディングに失敗した場合、このＨＡＲＱプロセスのＨＡＲＱフィードバックをＮＡＣＫと見なす。
【００１７】
前記一般的な説明と以下の本発明の詳細な説明はいずれも例示的なもので、特許請求範囲に記載したような本発明をより詳細に説明するためのものである。
【発明の効果】
【００１８】
本発明によると、搬送波集成システムにおいて多重化したＨＡＲＱフィードバックを効率的に送信することができる。具体的には、端末（ＵＥ）が特殊なセル（ｓｐｅｃｉａｌ  ｃｅｌｌ）以外の少なくとも一つのセル上でＰＵＣＣＨリソースで構成されるとき、前記端末は全てのセルのうちＰＵＣＣＨリソースを有する一つのセルを選択し、多重化したＨＡＲＱフィードバックを前記選択されたセル上で送信する。
【００１９】
当業者であれば、本発明によって得られる効果が前述した効果に制限されず、本発明の他の利点が添付図面に基づく以下の詳細な説明からより明らかに理解可能であることが分かる。
【図面の簡単な説明】
【００２０】
本発明の理解を助けるために含まれ、この明細書に統合されてその一部をなす添付図面は本発明の実施例を示し、説明と一緒に本発明の原理を説明するために提供される。
【図１】無線通信システムの一例としてＥ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）のネットワーク構造を示した図である。
【図２】図２ＡはＥ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）のネットワーク構造を示したブロック図、図２Ｂは代表的なＥ−ＵＴＲＡＮ及び代表的なＥＰＣのアーキテクチャを示したブロック図である。
【図３】３ＧＰＰ（３ｒｄ  ｇｅｎｅｒａｔｉｏｎ  ｐａｒｔｎｅｒｓｈｉｐ  ｐｒｏｊｅｃｔ）無線接続ネットワーク標準に基づく端末（ＵＥ）とＥ−ＵＴＲＡＮ間の無線インターフェースプロトコルの制御平面（ｃｏｎｔｒｏｌ  ｐｌａｎｅ）と使用者平面（ｕｓｅｒ  ｐｌａｎｅ）を示す図である。
【図４】Ｅ−ＵＭＴＳシステムで使われる物理的チャネル構造の一例を示した図である。
【図５】本発明の一実施例による通信装置を示したブロック図である。
【図６】搬送波集成に対する図である。
【図７】マスターセルグループ（ｍａｓｔｅｒ  ｃｅｌｌ  ｇｒｏｕｐ；ＭＣＳ）とセカンダリーセルグループ（ｓｅｃｏｎｄａｒｙ  ｃｅｌｌ  ｇｒｏｕｐ；ＳＣＧ）の間の二重連結（ｄｕａｌ  ｃｏｎｎｅｃｔｉｖｉｔｙ；ＤＣ）を示す概念図である。
【図８】端末側でのＭＡＣ構造の概要を示す図である。
【図９】活性化／非活性化ＭＡＣ制御要素を示す図である。
【図１０】本発明の一実施例による搬送波集成システムにおいて多重化したＨＡＲＱフィードバックの伝送を示す概念図である。
【図１１】本発明の一実施例による搬送波集成システムにおいて多重化したＨＡＲＱフィードバックの伝送を示す概念図である。
【図１２Ａ】本発明の実施例による搬送波集成システムにおいて多重化したＨＡＲＱフィードバックを送信する例を示す図である。
【図１２Ｂ】本発明の実施例による搬送波集成システムにおいて多重化したＨＡＲＱフィードバックを送信する例を示す図である。
【発明を実施するための形態】
【００２１】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、ヨーロッパシステム、ＧＳＭ（Ｇｌｏｂａｌ  ｓｙｓｔｅｍ  ｆｏｒ  ｍｏｂｉｌｅ  ｃｏｍｍｕｎｉｃａｔｉｏｎ）、及びＧＰＲＳ（Ｇｅｎｅｒａｌ  Ｐａｃｋｅｔ  Ｒａｄｉｏ  Ｓｅｒｖｉｃｅ）に基づくＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）で動作する３世代（３ｒｄ  Ｇｅｎｅｒａｔｉｏｎ、３Ｇ）非対称移動通信システムである。ＵＭＴＳのＬＴＥ（Ｌｏｎｇ―Ｔｅｒｍ  Ｅｖｏｌｕｔｉｏｎ）は、ＵＭＴＳを規格化する３ＧＰＰによって議論中にある。
【００２２】
３ＧＰＰ  ＬＴＥは、高速パケット通信を可能にする技術である。ユーザ及び提供者の費用を減少させ、サービス品質を改善し、カバレッジ（ｃｏｖｅｒａｇｅ）及びシステム容量を拡張及び改善することを目的とするＬＴＥ課題のための多くの方法が提案された。３Ｇ  ＬＴＥは、上位―レベル要求であって、ビット（ｂｉｔ）当たりの費用減少、増加したサービス可用性、周波数帯域の柔軟性、単純な構造、開放型インターフェース、及び端末の適切な電力消耗を要求する。
【００２３】
以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００２４】
本明細書は、ＬＴＥシステム及びＬＴＥ―Ａシステムを用いて本発明の各実施例を説明するが、これは例示に過ぎない。したがって、本発明の各実施例は、前記定義に該当するいずれの通信システムにも適用することができる。また、本明細書は、ＦＤＤ方式を基準にして本発明の実施例に対して説明するが、これは例示であって、本発明の実施例は、Ｈ―ＦＤＤ方式又はＴＤＤ方式にも容易に変形して適用することができる。
【００２５】
図２Ａは、Ｅ―ＵＴＲＡＮ（Ｅｖｏｌｖｅｄ―Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）網構造を示すブロック図である。Ｅ―ＵＭＴＳは、ＬＴＥシステムと称することもできる。通信網は、ＩＭＳ及びパケットデータを通じたＶｏＩＰ（Ｖｏｉｃｅ  ｏｖｅｒ  ＩＰ）などの多様なサービスを提供するために広く配置される。
【００２６】
図２Ａに示したように、Ｅ―ＵＭＴＳ網は、Ｅ―ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（Ｅｖｏｌｖｅｄ  Ｐａｃｋｅｔ  Ｃｏｒｅ）、及び一つ以上の端末を含む。Ｅ―ＵＴＲＡＮは、一つ以上のｅＮＢ（ｅｖｏｌｖｅｄ  ＮｏｄｅＢ）２０を含むことができ、複数の端末１０が一つのセルに位置することができる。一つ以上のＥ―ＵＴＲＡＮ  ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイ３０は、ネットワークの終端に位置し、外部ネットワークに接続することもできる。
【００２７】
本明細書において、「下りリンク（ｄｏｗｎｌｉｎｋ）」は、ｅＮＢ２０から端末１０への通信を称し、「上りリンク（ｕｐｌｉｎｋ）」は、端末１０からｅＮＢ２０への通信を称する。端末１０は、ユーザによって運搬される通信装備を称し、また、移動局（Ｍｏｂｉｌｅ  Ｓｔａｔｉｏｎ、ＭＳ）、ユーザ端末（Ｕｓｅｒ  Ｔｅｒｍｉｎａｌ、ＵＴ）、加入者ステーション（Ｓｕｂｓｃｒｉｂｅｒ  Ｓｔａｔｉｏｎ、ＳＳ）又は無線デバイスと称することもできる。
【００２８】
図２Ｂは、一般的なＥ―ＵＴＲＡＮと一般的なＥＰＣの構造を示すブロック図である。
【００２９】
図２Ｂに示したように、ｅＮＢ２０は、ユーザ平面及び制御平面のエンドポイント（ｅｎｄ  ｐｏｉｎｔ）を端末１０に提供する。ＭＭＥ／ＳＡＥゲートウェイ３０は、セッション及び移動性管理機能のエンドポイントを端末１０に提供する。ｅＮＢ２０及びＭＭＥ／ＳＡＥゲートウェイ３０は、Ｓ１インターフェースを介して接続することができる。
【００３０】
ｅＮＢ２０は、一般に端末１０と通信する固定局であって、基地局（ＢＳ）又はアクセスポイント（ａｃｃｅｓｓ  ｐｏｉｎｔ）と称することもある。一つのｅＮＢ２０はセルごとに配置することができる。ユーザトラフィック又は制御トラフィックを送信するためのインターフェースをｅＮＢ２０間で使用することができる。
【００３１】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む）遊休モード（ｉｄｌｅ  ｍｏｄｅ）端末接近性（Ｒｅａｃｈａｂｉｌｉｔｙ）、（遊休モード及び活性モード（ａｃｔｉｖｅ  ｍｏｄｅ）の端末のための）トラッキング領域リスト管理、ＰＤＮ  ＧＷ及びサービングＧＷ選択、ＭＭＥ変化が伴うハンドオーバーのためのＭＭＥ選択、２Ｇ又は３Ｇ  ３ＧＰＰ接続ネットワークへのハンドオーバーのためのＳＧＳＮ選択、ローミング、認証、専用ベアラー設定を含むベアラー管理、（ＥＴＷＳ及びＣＭＡＳを含む）ＰＷＳメッセージ送信のためのサポートを含む多様な機能を行う。ＳＡＥゲートウェイホストは、パー―ユーザ（Ｐｅｒ―ｕｓｅｒ）ベースのパケットフィルタリング（例えば、深層パケット検査を使用）、適法なインターセプション（Ｌａｗｆｕｌ  Ｉｎｔｅｒｃｅｐｔｉｏｎ）、端末  ＩＰアドレス割り当て、下りリンクでの送信（Ｔｒａｎｓｐｏｒｔ）レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００３２】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（ｍｅｓｈｅｄ  ｎｅｔｗｏｒｋ  ｓｔｒｕｃｔｕｒｅ）を有することができる。
【００３３】
図２Ｂに示したように、ｅＮＢ２０は、ゲートウェイ３０に対する選択、無線リソース制御（Ｒａｄｉｏ  Ｒｅｓｏｕｒｃｅ  Ｃｏｎｔｒｏｌ、ＲＲＣ）活性化の間、ゲートウェイに向かうルーティング、ページングメッセージのスケジューリング及び送信、ブロードキャスティティャネル（ＢＣＣＨ）情報のスケジューリング及び送信、上りリンク及び下りリンクの全てにおける各端末１０のための動的リソース割当て、ｅＮＢ測定の構成及び準備、無線ベアラー制御、無線承認制御（Ｒａｄｉｏ  Ａｄｍｉｓｓｉｏｎ  Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ  Ａｒｃｈｉｔｅｃｔｕｒｅ  Ｅｖｏｌｕｔｉｏｎ、ＳＡＥ）ベアラー制御、及び非―接続層（Ｎｏｎ―Ａｃｃｅｓｓ  Ｓｔｒａｔｕｍ、ＮＡＳ）シグナリングの暗号化及び無欠性保護などの各機能を行うことができる。
【００３４】
ＥＰＣは、移動性管理エンティティ（Ｍｏｂｉｌｉｔｙ  Ｍａｎａｇｅｍｅｎｔ  Ｅｎｔｉｔｙ、ＭＭＥ）、サービング―ゲートウェイ（ｓｅｒｖｉｎｇ―ｇａｔｅｗａｙ、Ｓ―ＧＷ）、及びパケットデータネットワーク―ゲートウェイ（Ｐａｃｋｅｔ  Ｄａｔａ  Ｎｅｔｗｏｒｋ―Ｇａｔｅｗａｙ、ＰＤＮ―ＧＷ）を含む。ＭＭＥは、主に各端末の移動性を管理する目的で用いられる接続及び可用性についての情報を有する。Ｓ―ＧＷは、Ｅ―ＵＴＲＡＮを終端点として有するゲートウェイで、ＰＤＮ―ＧＷは、パケットデータネットワーク（ＰＤＮ）を終端点として有するゲートウェイである。
【００３５】
図３は、３ＧＰＰ無線接続網規格を基盤にした端末とＥ―ＵＴＲＡＮとの間の無線インターフェースプロトコルの制御平面及びユーザ平面の構造を示す図である。制御平面は、端末（Ｕｓｅｒ  Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００３６】
第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続されている。前記送信チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ―ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３７】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性のあるデータ送信をサポートする。ＲＬＣ層の機能は、ＭＡＣ内部の機能ブロックで具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰバージョン４（ＩＰ  ｖｅｒｓｉｏｎ  ４、ＩＰｖ４）パケットやＩＰバージョン６（ＩＰｖ６）パケットのようなＩＰ（ｉｎｔｅｒｎｅｔ  ｐｒｏｔｏｃｏｌ）パケットを効率的に送信するために不必要な制御情報を減少させるヘッダー圧縮（Ｈｅａｄｅｒ  Ｃｏｍｐｒｅｓｓｉｏｎ）機能を行う。
【００３８】
第３層の最下部に位置した無線リソース制御（Ｒａｄｉｏ  Ｒｅｓｏｕｒｃｅ  Ｃｏｎｔｒｏｌ；ＲＲＣ）層は、制御平面のみで定義される。ＲＲＣ層は、各無線ベアラ（Ｒａｄｉｏ  Ｂｅａｒｅｒ；ＲＢ）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連して論理チャネル、送信チャネル及び物理チャネルの制御を担当する。ＲＢは、端末とネットワークとの間のデータ伝達のために第２層によって提供されるサービスを意味する。このために、端末とネットワークのＲＲＣ層は、互いにＲＲＣメッセージを交換する。
【００３９】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００４０】
Ｅ―ＵＴＲＡＮから端末への送信のための下りリンク送信チャネル（Ｄｏｗｎｌｉｎｋ  ｔｒａｎｓｐｏｒｔ  Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ  Ｃｈａｎｎｅｌ）、及びユーザトラフィック又は各制御メッセージを送信するための下りリンク共有チャネル（Ｓｈａｒｅｄ  Ｃｈａｎｎｅｌ、ＳＣＨ）を含む。下りリンクマルチキャスト又はブロードキャストサービスのトラフィック又は制御メッセージの場合、下りリンクＳＣＨを介して送信することもでき、又は別途の下りリンクＭＣＨ（Ｍｕｌｔｉｃａｓｔ  Ｃｈａｎｎｅｌ）を介して送信することもできる。
【００４１】
端末からネットワークにデータを送信する上りリンク送信チャネルとしては、初期制御メッセージを送信するＲＡＣＨ（Ｒａｎｄｏｍ  Ａｃｃｅｓｓ  Ｃｈａｎｎｅｌ）と、その他にユーザトラフィックや制御メッセージを送信する上りリンクＳＣＨ（Ｓｈａｒｅｄ  Ｃｈａｎｎｅｌ）とがある。送信チャネルの上位にあり、送信チャネルにマップされる論理チャネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）などがある。
【００４２】
図４は、Ｅ―ＵＭＴＳシステムで使用する物理チャネル構造の一例を示した図である。物理チャネルは、時間軸上にある多数のサブフレームと、周波数軸上にある多数のサブキャリア（Ｓｕｂ―ｃａｒｒｉｅｒ）とで構成される。ここで、一つのサブフレーム（Ｓｕｂ―ｆｒａｍｅ）は、時間軸上に複数のシンボル（Ｓｙｍｂｏｌ）で構成される。一つのサブフレームは、複数のリソースブロック（Ｒｅｓｏｕｒｃｅ  Ｂｌｏｃｋ）で構成され、一つのリソースブロックは、複数のシンボル及び複数のサブキャリアで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、すなわち、Ｌ１／Ｌ２制御チャネルのために該当サブフレームの特定シンボル（例えば、１番目のシンボル）の特定サブキャリアを用いることができる。図４には、Ｌ１／Ｌ２制御情報送信領域（ＰＤＣＣＨ）とデータ領域（ＰＤＳＣＨ）を示した。一実施例において、１０ｍｓの無線フレーム（ｒａｄｉｏ  ｆｒａｍｅ）が使用され、一つの無線フレームは１０個のサブフレーム（ｓｕｂｆｒａｍｅ）で構成される。また、一つのサブフレームは二つの連続するスロットで構成される。一つのスロットの長さは０．５ｍｓである。また、一つのサブフレームは多数のＯＦＤＭシンボルで構成され、多数のＯＦＤＭシンボルのうち一部のシンボル（例えば、１番目のシンボル）は、Ｌ１／Ｌ２制御情報を送信するために使用することができる。データ送信のための時間単位である送信時間間隔（Ｔｒａｎｓｍｉｓｓｉｏｎ  Ｔｉｍｅ  Ｉｎｔｅｒｖａｌ、ＴＴＩ）は１ｍｓである。
【００４３】
基地局と端末は、一般に特定制御信号又は特定サービスデータを除いては、送信チャネルであるＤＬ―ＳＣＨを用いる物理チャネルであるＰＤＳＣＨを介してデータを送信／受信する。ＰＤＳＣＨのデータがいずれの端末（一つ又は複数の端末）に送信されるもので、前記各端末がどのようにＰＤＳＣＨデータを受信してデコード（ｄｅｃｏｄｉｎｇ）しなければならないのかについての情報などは、ＰＤＣＣＨに含まれて送信される。
【００４４】
例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスク（ｍａｓｋｉｎｇ）されており、「Ｂ」という無線リソース（例えば、周波数位置）及び「Ｃ」という送信形式情報（例えば、送信ブロックサイズ、変調方式、コーディング情報など）を用いて送信されるデータについての情報が特定サブフレームを介して送信されると仮定する。この場合、セル内の端末は、自身が有しているＲＮＴＩ情報を用いてＰＤＣＣＨをモニターし、「Ａ」ＲＮＴＩを有している一つ以上の端末があると、前記各端末はＰＤＣＣＨを受信し、受信したＰＤＣＣＨの情報を介して「Ｂ」と「Ｃ」によって指示されるＰＤＳＣＨを受信する。
【００４５】
図５は、本発明の実施例に係る通信装置のブロック図である。
【００４６】
図５に示された装置は、上述したメカニズムを行うように適応されたユーザ装置（Ｕｓｅｒ  Ｅｑｕｉｐｍｅｎｔ、ＵＥ）及び／又はｅＮＢであってもよいが、同じ作業を行う任意の装置であってもよい。
【００４７】
図５に示したように、装置は、ＤＳＰ（Ｄｉｇｉｔａｌ  Ｓｉｇｎａｌ  Ｐｒｏｃｅｓｓｏｒ）／マイクロプロセッサ１１０及びＲＦ（Ｒａｄｉｏ  Ｆｒｅｑｕｅｎｃｙ）モジュール（送受信機；１３５）を含むこともできる。ＤＳＰ／マイクロプロセッサ１１０は、送受信機１３５に電気的に接続されて送受信機１３５を制御する。装置は、設計者の選択によって、電力管理モジュール１０５、バッテリー１５５、ディスプレイ１１５、キーパッド１２０、ＳＩＭカード１２５、メモリデバイス１３０、スピーカー１４５及び入力デバイス１５０をさらに含むこともできる。
【００４８】
特に、図５は、ネットワークから要求メッセージを受信するように構成された受信機１３５及びネットワークに送／受信タイミング情報を送信するように構成された送信機１３５を含む端末を示してもよい。このような受信機と送信機は送受信機１３５を構成できる。端末は、送受信機（受信機及び送信機、１３５）に接続されたプロセッサ１１０をさらに含むこともできる。
【００４９】
また、図５は、端末に要求メッセージを送信するように構成された送信機１３５及び端末から送受信タイミング情報を受信するように構成された受信機１３５を含むネットワーク装置を示してもよい。送信機及び受信機は送受信機１３５を構成することもできる。ネットワークは、送信機及び受信機に接続されたプロセッサ１１０をさらに含む。このプロセッサ１１０は、送受信タイミング情報に基づいて遅延（ｌａｔｅｎｃｙ）を計算することもできる。
【００５０】
最近、３ＧＰＰでプロキシミティ基盤のサービス（Ｐｒｏｘｉｍｉｔｙ―ｂａｓｅｄ  Ｓｅｒｖｉｃｅ；ＰｒｏＳｅ）が論議されている。ＰｒｏＳｅは、（認証などの適切な手続後）ｅＮＢのみを介して（ＳＧＷ（Ｓｅｒｖｉｎｇ  Ｇａｔｅ―ｗａｙ（ＳＧＷ）／ＰＤＮ（Ｐａｃｋｅｔ  Ｄａｔａ  Ｎｅｔｗｏｒｋ）―ＧＷ（ＰＧＷ）を介することなく）又はＳＧＷ／ＰＧＷを介して異なる端末を（直接）互いに接続させることができる。よって、ＰｒｏＳｅを用いて装置対装置直接通信を提供することができ、全ての装置がユビキタス接続で接続されると期待される。近接した距離内の装置間の直接通信はネットワークの負荷を減少させることができる。最近、プロキシミティ基盤のソーシャルネットワークサービスは大衆の注目を受けており、新しい種類のプロキシミティ基盤のアプリケーションが出現され、新しいビジネスの市場及び収益を創造することができる。第一のステップにおいて、公衆安全及び緊要な通信（ｃｒｉｔｉｃａｌ  ｃｏｍｍｕｎｉｃａｔｉｏｎ）が市場で要求される。また、グループ通信は、公衆安全システムの重要なコンポーネントの一つである。プロキシミティ基盤のディスカバリ、直接経路通信及びグループ通信の管理などの機能が要求される。
【００５１】
使用ケースとシナリオは、例えば、ｉ）商業的／社会的使用、ｉｉ）ネットワークオフローディング（ｏｆｆｌｏａｄｉｎｇ）、ｉｉｉ）公衆安全、ｉｖ）到達可能性（ｒｅａｃｈａｂｉｌｉｔｙ）及び移動度の形態（ｍｏｂｉｌｉｔｙ  ａｓｐｅｃｔｓ）を含むユーザ経験の一貫性を確保するための現在のインフラストラクチャサービスの統合、ｖ）（地域規定及びオペレータポリシーの対象であり、特定公衆安全指定周波数帯域及び端末に制限された）ＥＵＴＲＡＮカバレッジの不在時の公衆安全である。
【００５２】
図６は搬送波集成を示す図である。
【００５３】
多数の搬送波を支援するための搬送波集成（ｃａｒｒｉｅｒ  ａｇｇｒｅｇａｔｉｏｎ：ＣＡ）技術を図６に基づいて以下で説明する。上述したように、レガシー（ｌｅｇａｃｙ）無線通信システム（例えば、ＬＴＥシステム）で定義された帯域幅単位（例えば、２０ＭＨｚ）の最大５個の搬送波（コンポーネント搬送波（ｃｏｍｐｏｎｅｎｔ  ｃａｒｒｉｅｒｓ：ＣＣｓ）を搬送波集成によってバンドリングする方式で最大１００ＭＨｚのシステム帯域幅を支援することができる。搬送波集成に用いられるコンポーネント搬送波は同じ又は相異なる帯域幅大きさを有することができる。また、それぞれのコンポーネント搬送波は相異なる周波数帯域（又は中心周波数）を有することができる。前記コンポーネント搬送波は連続した周波数帯域上に存在することができる。しかし、連続しない周波数帯域上に存在するコンポーネント搬送波も搬送波集成のために使われることができる。搬送波集成技術において、上りリンクと下りリンクの帯域幅の大きさは対称的に又は非対称的に割り当てられることができる。
【００５４】
ＣＡが構成されるとき、端末はネットワークと一つのＲＲＣ連結のみを有する。ＲＲＣ連結設定（ｅｓｔａｂｌｉｓｈｍｅｎｔ）／再設定（ｒｅ−ｅｓｔａｂｌｉｓｈｍｅｎｔ）／ハンドオーバーの際、一つのサービングセルはＮＡＳ移動度（ｍｏｂｉｌｉｔｙ）情報（例えば、ＴＡＩ）を提供し、ＲＲＣ連結再設定／ハンドオーバーの際、一つのサービングセルは保安入力（ｓｅｃｕｒｉｔｙ  ｉｎｐｕｔ）を提供する。このセルをプライマリーセル（ｐｒｉｍａｒｙ  ｃｅｌｌ：ＰＣｅｌｌ）と言う。下りリンクでＰＣｅｌｌに相当する搬送波はＤＬ  ＰＣＣ（Ｄｏｗｎｌｉｎｋ  Ｐｒｉｍａｒｙ  Ｃｏｍｐｏｎｅｎｔ  Ｃａｒｒｉｅｒ）であり、上りリンクでＰＣｅｌｌに相当する搬送波はＵＬ  ＰＣＣ（Ｕｐｌｉｎｋ  Ｐｒｉｍａｒｙ  Ｃｏｍｐｏｎｅｎｔ  Ｃａｒｒｉｅｒ）である。
【００５５】
端末の能力（ｃａｐａｂｉｌｉｔｉｅｓ）によってセカンダリーセル（ｓｅｃｏｎｄａｒｙ  ｃｅｌｌ：ＳＣｅｌｌ）が構成され、ＰＣｅｌｌと一緒にサービングセルの集合（ｓｅｔ）を形成することができる。下りリンクでＳＣｅｌｌに相当する搬送波はＤＬ  ＳＣＣ（Ｄｏｗｎｌｉｎｋ  Ｓｅｃｏｎｄａｒｙ  Ｃｏｍｐｏｎｅｎｔ  Ｃａｒｒｉｅｒ）であり、上りリンクでＳＣｅｌｌに相当する搬送波はＵＬ  ＳＣＣ（Ｕｐｌｉｎｋ  Ｓｅｃｏｎｄａｒｙ  Ｃｏｍｐｏｎｅｎｔ  Ｃａｒｒｉｅｒ）である。
【００５６】
プライマリーコンポーネント搬送波は基地局が端末とトラフィック及び制御シグナリングを交換するのに使用する搬送波である。この場合、制御シグナリングはコンポーネント搬送波の追加、プライマリーコンポーネント搬送波の設定、上りリンクグラント（ＵＬ  ｇｒａｎｔ）、下りリンク割当て（ＤＬ  ａｓｓｉｇｎｍｅｎｔ）などを含むことができる。基地局は多数のコンポーネント搬送波を使うことができるが、該当基地局に属する端末は一つのプライマリーコンポーネント搬送波のみを有するように設定されることができる。端末が単一搬送波モードで動作すれば、プライマリーコンポーネント搬送波が使われる。これにより、独立的に使われるために、プライマリーコンポーネント搬送波は基地局と端末間のデータ及び制御シグナリングの交換に対する全ての要求条件を満たすように設定されなければならない。
【００５７】
一方、セカンダリーコンポーネント搬送波は送受信されるデータの所要大きさによって活性化又は非活性化することができる追加的なコンポーネント搬送波を含むことができる。セカンダリーコンポーネント搬送波は基地局から受信される特定の命令及び規則によって使われるように設定されることができる。追加的な帯域幅を支援するために、セカンダリーコンポーネント搬送波はプライマリーコンポーネント搬送波と一緒に使われるように設定されることができる。活性化したコンポーネント搬送波によってＵＬグラント、ＤＬ割当てなどの制御信号を基地局から端末が受信することができる。活性化したコンポーネント搬送波によって、上りリンクで、ＣＱＩ（ｃｈａｎｎｅｌ  ｑｕａｌｉｔｙ  ｉｎｄｉｃａｔｏｒ）、ＰＭＩ（ｐｒｅｃｏｄｉｎｇ  ｍａｔｒｉｘ  ｉｎｄｅｘ）、ＲＩ（ｒａｎｋ  ｉｎｄｉｃａｔｏｒ）、ＳＲＳ（ｓｏｕｎｄｉｎｇ  ｒｅｆｅｒｅｎｃｅ  ｓｉｇｎａｌ）などの制御信号が端末から基地局に送信されることができる。
【００５８】
端末へのリソース割当ては一つのプライマリーコンポーネント搬送波と多数のセカンダリーコンポーネント搬送波を有することができる。多重搬送波集成モード（ｍｕｌｔｉ−ｃａｒｒｉｅｒ  ａｇｇｒｅｇａｔｉｏｎ  ｍｏｄｅ）で、システム負荷（すなわち、静的／動的負荷バランシング（ｓｔａｔｉｃ／ｄｙｎａｍｉｃ  ｌｏａｄ  ｂａｌａｎｃｉｎｇ））、ピークデータレート（ｐｅａｋ  ｄａｔａ  ｒａｔｅ）又はサービス品質要求条件（ｓｅｒｖｉｃｅ  ｑｕａｌｉｔｙ  ｒｅｑｕｉｒｅｍｅｎｔ）に基づいてシステムは非対称的にセカンダリーコンポーネント搬送波をＤＬ及び／又はＵＬに割り当てることができる。搬送波集成技術を使うに際して、ＲＲＣ連結過程以後に基地局がコンポーネント搬送波の設定を端末に提供することができる。この場合、ＲＲＣ連結はＳＲＢを介して端末のＲＲＣレイヤーとネットワークの間で交換されるＲＲＣシグナリングに基づいて無線リソースが端末に割り当てられることを意味することができる。端末と基地局間のＲＲＣ連結過程が完了した後、基地局が端末にプライマリーコンポーネント搬送波とセカンダリーコンポーネント搬送波についての設定情報を提供することができる。前記セカンダリーコンポーネント搬送波についての設定情報はセカンダリーコンポーネント搬送波の追加／削除（又は活性化／非活性化）を含むことができる。よって、基地局と端末間のセカンダリーコンポーネント搬送波を活性化させるか以前のセカンダリーコンポーネント搬送波を非活性化させるためには、ＲＲＣシグナリングとＭＡＣ制御要素を交換する必要がある。
【００５９】
したがって、端末のために構成されたサービングセルの集合はいつも一つのＰＣｅｌｌと一つ以上のＳＣｅｌｌで構成される。
【００６０】
−それぞれのＳＣｅｌｌに対し、端末による下りリンクリソース及び上りリンクリソースの使用は設定可能である（したがって、構成されるＤＬ  ＳＣＣの数はいつもＵＬ  ＳＣＣの数以上であり、上りリンクリソースのみを用いる場合にはＳＣｅｌｌが構成されない）。
【００６１】
−端末の観点で、それぞれの上りリンクリソースは一つのサービングセルにのみ属する。
【００６２】
−構成可能なサービングセルの数は端末の集成能力（ａｇｇｒｅｇａｔｉｏｎ  ｃａｐａｂｉｌｉｔｙ）に依存する。
【００６３】
−ＰＣｅｌｌはハンドオーバー過程によってのみ変わることができる（すなわち、保安キー変化及びＲＡＣＨ過程）。
【００６４】
−ＰＣｅｌｌはＰＵＣＣＨの伝送のために使われる。
【００６５】
−ＳＣｅｌｌとは違い、ＰＣｅｌｌは非活性化することができない。
【００６６】
−再設定（ｒｅ−ｅｓｔａｂｌｉｓｈｍｅｎｔ）はＰＣｅｌｌがＲＬＦを経験しＳＣｅｌｌがＲＬＦを経験しないときにトリガーされる。
【００６７】
−ＮＡＳ情報はＰＣｅｌｌから得られる。
【００６８】
セカンダリーコンポーネント搬送波の活性化又は非活性化はサービス品質（ＱｏＳ）、搬送波の負荷条件及びその他の要素に基づいて基地局によって決定される。また、基地局はＤＬ／ＵＬに対する指示タイプ（活性化／非活性化）、セカンダリーコンポーネント搬送波リストなどの情報を含む制御メッセージを用いて端末にセカンダリーコンポーネント搬送波設定を指示することができる。
【００６９】
ＳＣｅｌｌの再設定（ｒｅｃｏｎｆｉｇｕｒａｔｉｏｎ）、追加及び除去はＲＲＣによって行われることができる。イントラＬＴＥハンドオーバーの際、ＲＲＣは、ターゲットＰＣｅｌｌと一緒に使うために、ＳＣｅｌｌを追加するか除去するか再設定することができる。新しいＳＣｅｌｌを追加するとき、専用のＲＲＣシグナリングがＳＣｅｌｌの全ての所要システム情報を送信するために使われる。すなわち、連結モード（ｃｏｎｎｅｃｔｅｄ  ｍｏｄｅ）で、端末はＳＣｅｌｌから直接システム情報を受信する必要がない。
【００７０】
図７はマスターセルグループ（ＭＣＧ）とセカンダリーセルグループ（ＳＣＧ）間の二重連結（ｄｕａｌ  ｃｏｎｎｅｃｔｉｖｉｔｙ：ＤＣ）に対する概念図である。
【００７１】
二重連結（ＤＣ）は端末がマスター基地局（ｅＮｏｄｅ−Ｂ）（ＭｅＮＢ）とセカンダリー基地局（ＳｅＮＢ）に同時に連結可能であることを意味する。ＭＣＧはマスター基地局に係わるサービングセルグループであり、ＰＣｅｌｌと一つ以上の選択的なＳＣｅｌｌで構成される。ＳＣＧはセカンダリー基地局に係わるサービングセルグループであり、特殊なＳＣｅｌｌと一つ以上の選択的なＳＣｅｌｌで構成される。マスター基地局は少なくともＳ１−ＭＭＥ（制御平面に対するＳ１）を送信する基地局であり、セカンダリー基地局は端末に対して追加的な無線リソースを提供する基地局であり、マスター基地局ではない。
【００７２】
二重連結は端末が多数のサービングセルで構成される一種の搬送波集成である。しかし、図６の搬送波集成を支援する全てのサービングセルが同じ基地局によってサービングされるものとは違い、図７の二重連結を支援する全てのサービングセルは互いに異なる基地局によって同時にサービングされる。端末が互いに異なる基地局と同時に連結されるから、互いに異なる基地局は非理想的な（ｎｏｎ−ｉｄｅａｌ）バックホールインターフェース（ｂａｃｋｈａｕｌ  ｉｎｔｅｒｆａｃｅ）を介して連結される。
【００７３】
二重連結によって、一部のデータ無線ベアラー（ｄａｔａ  ｒａｄｉｏ  ｂｅａｒｅｒｓ：ＤＲＢｓ）がＳＣＧにオフロードされ、ＭＣＧでスケジューリング無線ベアラー（ｓｃｈｅｄｕｌｉｎｇ  ｒａｄｉｏ  ｂｅａｒｅｒｓ：ＳＲＢｓ）又は他のＤＲＢを維持しながら高い処理率を提供してハンドオーバーの可能性を減少させることができる。ＭＣＧは周波数ｆ１を介してマスター基地局（ＭｅＮＢ）によって動作され、ＳＣＧは周波数ｆ２を介してセカンダリー基地局（ＳｅＮＢ）によって動作される。周波数ｆ１とｆ２は同一であってもよい。マスター基地局（ＭｅＮＢ）とセカンダリー基地局（ＳｅＮＢ）間のバックホールインターフェース（ＢＨ）は非理想的である。これは、バックホール（ｂａｃｋｈａｕｌ）に相当な遅延が存在して、一つのノードで集中的な（ｃｅｎｔｒａｌｉｚｅｄ）スケジューリングが不可能であることを意味する。
【００７４】
ＳＣＧに対して次のような原則が適用される。
【００７５】
−ＳＣＧで少なくとも一つのセルは構成されたＵＬＣＣを有し、そのうちＰＳＣｅｌｌはＰＵＣＣＨリソースで構成される。
【００７６】
−ＳＣＧが構成されれば、少なくとも一つのＳＣＧベアラー又は一つのスプリットベアラー（ｓｐｌｉｔ  ｂｅａｒｅｒ）がいつも存在する。
【００７７】
−ＰＳＣｅｌｌ上で物理的レイヤー問題又は任意接続問題が検出されるか、ＳＣＧと関連して最大ＲＬＣ再伝送回数に到逹したか、ＳＣＧの追加時又はＳＣＧの変更時、ＰＳＣｅｌｌ（Ｔ３０７満了）上で接続問題が検出されれば、
【００７８】
−ＲＲＣ連結再設定過程がトリガーされず、
【００７９】
−ＳＣＧの全てのセルに対する全てのＵＬ伝送が中止され、
【００８０】
−端末がＳＣＧ失敗タイプ（ｆａｉｌｕｒｅ  ｔｙｐｅ）をマスター基地局（ＭｅＮＢ）に知らせる。
【００８１】
−スプリットベアラーに対し、マスター基地局（ＭｅＮＢ）を介したＤＬデータ伝送が維持される。
【００８２】
−ＲＬＣ  ＡＭベアラーのみがスプリットベアラーに対して構成されることができる。
【００８３】
−ＰＣｅｌｌと同様に、ＰＳＣｅｌｌは非活性化することができない。
【００８４】
−ＰＳＣｅｌｌはＳＣＧ変更によってのみ変更可能である（すなわち、保安キー変更及びＲＡＣＨ過程）。
【００８５】
−スプリットベアラーとＳＣＧベアラー間の直接的なベアラータイプ変更とＳＣＧとスプリットベアラーの同時構成は支援されない。
【００８６】
ＭｅＮＢとＳｅＮＢ間の相互作用に対して次のような原則が適用される。
【００８７】
−ＭｅＮＢは端末のＲＲＭ測定構成を維持し、例えば受信された測定報告又はトラフィック条件又はベアラータイプに基づいてＳｅＮＢに端末に対する追加的なリソース（サービングセル）を提供するようにする要求を決定することができる。
【００８８】
−ＭｅＮＢからの要求が受信されれば、ＳｅＮＢは端末に対する追加的なサービングセルの構成となるコンテーナーを生成することができる（若しくは、このために利用可能なリソースがないと決定する）。
【００８９】
−端末の能力調整のために、ＭｅＮＢはＡＳ構成（の一部）とＵＥ能力をＳｅＮＢに提供する。
【００９０】
−ＭｅＮＢとＳｅＮＢはＸ２メッセージによって送信されるＲＲＣコンテーナー（インターノード（ｉｎｔｅｒ−ｎｏｄｅ）メッセージ）によってＵＥ構成についての情報を交換する。
【００９１】
−ＳｅＮＢは既存のサービングセル（例えば、ＳｅＮＢへのＰＵＣＣＨ）の再構成を開始することができる。
【００９２】
−ＳｅＮＢはＳＣＧ内でどのセルがＰＳＣｅｌｌであるかを決定する。
【００９３】
−ＭｅＮＢはＳｅＮＢによって提供されるＲＲＣ構成の内容を変更しない。
【００９４】
−ＳＣＧ追加及びＳＣＧ  ＳＣｅｌｌ追加の場合、ＭｅＮＢはＳＣＧセル（等）に対する最近の測定結果を提供することができる。
【００９５】
−ＤＲＸ整列及び測定ギャップの識別のために、ＭｅＮＢとＳｅＮＢはいずれもＯＡＭによってそれぞれのＳＦＮ及びサブフレームオフセットを知っている。
【００９６】
新しいＳＣＧ  ＳＣｅｌｌを追加する場合、上述したＣＡの場合と同様に、ＳＣＧのＰＳＣｅｌｌのＭＩＢから得られるＳＦＮを除き、前記セルの全ての所要システム情報を送信するために専用のＲＲＣシグナリングが使われる。
【００９７】
図８は端末側でのＭＡＣ構造の概要に対する図である。
【００９８】
ＭＡＣレイヤーは論理的チャネル多重化、ハイブリッドＡＲＱ再伝送、上りリンク及び下りリンクスケジューリングを処理する。また、搬送波集成が用いられる場合、多数のコンポーネント搬送波によるデータの多重化／逆多重化を担当する。
【００９９】
ＭＡＣは論理的チャネルの形態でＲＬＣにサービスを提供する。論理的チャネルは自分が運ぶ情報のタイプによって定義され、一般的にＬＴＥシステムの動作に必要な制御及び構成情報の伝送に使われる制御チャネル又は使用者データのために使われるトラフィックチャネルに分類される。ＬＴＥに対して明示される論理チャネルタイプは次を含む。
【０１００】
−システム情報をネットワークからセル内の全ての端末に送信するのに使われるＢＣＣＨ（Ｂｒｏａｄｃａｓｔ  Ｃｏｎｔｒｏｌ  Ｃｈａｎｎｅｌ）。システムに接続する前に端末はシステムがどのように構成されるか、かつ一般的にどのようにセル内で適切に動作するかが分かるためにシステム情報を得なければならない。
【０１０１】
−セルレベルでの位置がネットワークに知られなかった端末のページングのために使われるＰＣＣＨ（Ｐａｇｉｎｇ  Ｃｏｎｔｒｏｌ  Ｃｈａｎｎｅｌ）。したがって、ページングメッセージは多数のセルで送信されなければならない。
【０１０２】
−任意接続と一緒に制御情報の伝送のために使われるＣＣＣＨ（Ｃｏｍｍｏｎ  Ｃｏｎｔｒｏｌ  Ｃｈａｎｎｅｌ）
【０１０３】
−端末への／からの制御情報の伝送のために使われるＤＣＣＨ（Ｄｅｄｉｃａｔｅｄ  Ｃｏｎｔｒｏｌ  Ｃｈａｎｎｅｌ）。このチャネルは互いに異なるハンドオーバーメッセージのような個別的な端末の構成のために使われる。
【０１０４】
−ＭＴＣＨの受信に必要な制御情報の伝送のために使われるＭＣＣＨ（Ｍｕｌｔｉｃａｓｔ  Ｃｏｎｔｒｏｌ  Ｃｈａｎｎｅｌ）
【０１０５】
−端末への／からの使用者データの伝送のために使われるＤＴＣＨ（Ｄｅｄｉｃａｔｅｄ  Ｔｒａｆｆｉｃ  Ｃｈａｎｎｅｌ）。このチャネルは全ての上りリンク及び非ＭＢＳＦＮ下りリンク使用者データの伝送に使われる論理チャネルタイプのチャネルである。
【０１０６】
−ＭＢＭＳサービスの下りリンク伝送のために使われるＭＴＣＨ（Ｍｕｌｔｉｃａｓｔ  Ｔｒａｆｆｉｃ  Ｃｈａｎｎｅｌ）。
【０１０７】
物理的レイヤーから、ＭＡＣレイヤーは伝送チャネル（ｔｒａｎｓｐｏｒｔ  ｃｈａｎｎｅｌ）の形態でサービスを用いる。伝送チャネル情報が無線インターフェースを介してどのように送信されるか、かつどの特性によって送信されるかによって定義される。伝送チャネル上のデータは伝送ブロックに編成される。それぞれの伝送時間の間隔（ｔｒａｎｓｍｉｓｓｉｏｎ  ｔｉｍｅ  ｉｎｔｅｒｖａｌ：ＴＴＩ）で、空間多重化が使われない場合、最大一つの動的大きさ（ｄｙｎａｍｉｃ  ｓｉｚｅ）の伝送ブロックが無線リソースを介して端末に／から送信される。空間多重化（ＭＩＭＯ）の場合、ＴＴＩ当たり最大二つの伝送ブロックが存在することができる。
【０１０８】
それぞれの伝送ブロックと関連して伝送フォーマット（ｔｒａｎｓｐｏｒｔ  ｆｏｒｍａｔ：ＴＦ）が、伝送ブロックがどのように無線インターフェースを介して送信されるかを規定する。前記伝送フォーマットは伝送ブロックの大きさ、変調及びコーディング方式（ｍｏｄｕｌａｔｉｏｎ−ａｎｄ−ｃｏｄｉｎｇ  ｓｃｈｅｍｅ）及びアンテナマッピングについての情報を含む。前記伝送フォーマットを変更することによって、ＭＡＣレイヤーは相異なるデータレート（ｄａｔａ  ｒａｔｅ）を実現することができる。したがって、レート制御は伝送フォーマット選択とも知られている。
【０１０９】
以下の伝送チャネルタイプはＬＴＥに対して定義されたものである。
【０１１０】
−ＢＣＨ（Ｂｒｏａｄｃａｓｔ  Ｃｈａｎｎｅｌ）は設計明細書（ｓｐｅｃｉｆｉｃａｔｉｏｎｓ）によって提供される固定された伝送フォーマットを有する。これは、ＢＣＣＨシステム情報の一部、より具体的にはマスター情報ブロック（ｍａｓｔｅｒ  ｉｎｆｏｒｍａｔｉｏｎ  ｂｌｏｃｋ：ＭＩＢ）の伝送に使われる。
【０１１１】
−ＰＣＨ（Ｐａｇｉｎｇ  Ｃｈａｎｎｅｌ）はＰＣＣＨ論理的チャネルからのページング情報の伝送のために使われる。ＰＣＨは端末が前もって定義された時間にのみＰＣＨ受信のためにウェイクアップ（ｗａｋｅ  ｕｐ）してバッテリー電力を節減するように不連続的な受信（ＤＲＸ）を支援する。ＤＬ−ＳＣＨ（Ｄｏｗｎｌｉｎｋ  Ｓｈａｒｅｄ  Ｃｈａｎｎｅｌ）はＬＴＥで下りリンクデータの伝送のために使われるメイン伝送チャネルである。これは、時間及び周波数ドメインでのダイナミックレート適応（ｄｙｎａｍｉｃ  ｒａｔｅ  ａｄａｐｔａｔｉｏｎ）及びチャネル依存的スケジューリング、ソフト結合（ｓｏｆｔ  ｃｏｍｂｉｎｉｎｇ）のハイブリッドＡＲＱ、及び空間多重化のような主要ＬＴＥ特徴を支援する。これは、またＤＲＸを支援して常時接続（ａｌｗａｙｓ−ｏｎ  ｅｘｐｅｒｉｅｎｃｅ）を提供しながらも端末の電力消耗を減少させる。また、ＤＬ−ＳＣＨはＢＣＨにマッピングされないＢＣＣＨシステム情報の一部を送信するのに使われる。セル内に多数のＤＬ−ＳＣＨが存在することができ、該当ＴＴＩでスケジュールされた端末当たり一つが存在し、一部のサブフレームでシステム情報を運ぶ一つのＤＬ−ＳＣＨが存在することができる。
【０１１２】
−ＭＣＨ（Ｍｕｌｔｉｃａｓｔ  Ｃｈａｎｎｅｌ）はＭＢＭＳを支援するのに使われる。これは半静的（ｓｅｍｉ−ｓｔａｔｉｃ）伝送フォーマットと半静的スケジューリングを特徴とする。ＭＢＳＦＮを用いる多重セル伝送の場合、スケジューリング及び伝送フォーマット構成はＭＢＳＦＮ伝送に係わる伝送ポイントの間で調整される。
【０１１３】
−ＵＬ−ＳＣＨ（Ｕｐｌｉｎｋ  Ｓｈａｒｅｄ  Ｃｈａｎｎｅｌ）はＤＬ−ＳＣＨの上りリンク相手、すなわち上りリンクデータの伝送に使われる上りリンク伝送チャネルである。
【０１１４】
また、ＲＡＣＨ（Ｒａｎｄｏｍ−Ａｃｃｅｓｓ  Ｃｈａｎｎｅｌ）も伝送ブロックを運ばないが伝送チャネルと定義される。
【０１１５】
優先順位ハンドリング（ｐｒｉｏｒｉｔｙ  ｈａｎｄｌｉｎｇ）を支援するため、それぞれの論理的チャネルが自分のみのＲＬＣエンティティを有する多数の論理的チャネルがＭＡＣレイヤーによって一つの伝送チャネルに多重化することができる。受信機で、ＭＡＣレイヤーはそれに相応する逆多重化を処理し、順次の伝達及びＲＬＣによって処理される他の機能のためにＲＬＣ  ＰＤＵをそれぞれのＲＬＣエンティティに送信する。受信機での逆多重化を支援するために、ＭＡＣが使われる。それぞれのＲＬＣ  ＰＤＵのために、ＭＡＣヘッダーと関連サブヘッダーが存在する。サブヘッダーはＲＬＣ  ＰＤＵが来由した論理的チャネル（ＬＣＩＤ）のＩＤとバイト単位のＰＤＵ長さを含む。また、このサブヘッダーが最後のサブヘッダーであるかを示すフラグが存在する。スケジュールされた伝送ブロックの大きさに対応するためにＭＡＣヘッダーと一緒にパッディングされた一つ又は幾つかのＲＬＣ  ＰＤＵは必要な場合に一つの伝送ブロックを形成し、この伝送ブロックは物理的レイヤーに送信される。
【０１１６】
相異なる論理的チャネルの多重化に加え、ＭＡＣレイヤーはいわゆるＭＡＣ制御要素を伝送チャネルを介して送信される伝送ブロックに挿入することができる。ＭＡＣ制御要素はインバンド（ｉｎｂａｎｄ）制御シグナリング、例えばタイミングアドバンス命令（ｔｉｍｉｎｇ−ａｄｖａｎｃｅ  ｃｏｍｍａｎｄｓ）及び任意接続応答のために使われる。制御要素はＬＣＩＤフィールドの予備値によって識別され、ＬＣＩＤ値は制御情報のタイプを示す。
【０１１７】
また、サブヘッダーの長さフィールドは固定長の制御要素に対しては除去される。
【０１１８】
ＭＡＣ多重化機能はやはり搬送波集成の場合に多数のコンポーネント搬送波の処理を担当する。搬送波集成はＲＬＣ及びＰＤＣＰで認識できないが、搬送波集成の基本原則は制御シグナリング、スケジューリング及びハイブリッドＡＲＱ再伝送を含む物理的レイヤーでのコンポーネント搬送波の独立的な処理である。したがって、搬送波集成は主にＭＡＣレイヤーで認識され、ＭＡＣレイヤーで任意のＭＡＣ制御要素を含む論理的チャネルが多重化して固有のハイブリッドＡＲＱエンティティを有するそれぞれのコンポーネント搬送波に対して一つの（空間多重化の場合は二つの）伝送ブロックを形成する。
【０１１９】
二重連結において、端末に二つのＭＡＣエンティティが構成され、その一つはＭＣＧのためのものであり、他の一つはＳＣＧのためのものである。それぞれのＭＡＣエンティティはＲＲＣによってＰＵＣＣＨ伝送競争に基づく任意接続を支援するサービングセルで構成される。本明細書で、ＳｐＣｅｌｌはこのようなセルを意味し、ＳＣｅｌｌは他のサービングセルを意味する。ＭＡＣエンティティとＭＣＧ又はＳＣＧの関連有無によってＳｐＣｅｌｌはＭＣＧのＰＣｅｌｌ又はＳＣＧのＰＳＣｅｌｌを意味する。ＭＡＣエンティティのＳｐＣｅｌｌを含むタイミングアドバンスグループをｐＴＡＧと言い、ｓＴＡＧは他のＴＡＧを意味する。
【０１２０】
上位レイヤーがＭＡＣエンティティのリセットを要求すれば、ＭＡＣエンティティは
【０１２１】
−それぞれの論理的チャネルに対するＢｊを０に初期化し、
【０１２２】
−全てのタイマーを（動作中であれば）中止させ、
【０１２３】
−全てのｔｉｍｅＡｌｉｇｎｍｅｎｔＴｉｍｅｒｓが満了したと見なし、
【０１２４】
−全ての上りリンクＨＡＲＱプロセスに対するＮＤＩを０値に設定し、
【０１２５】
−進行中のＲＡＣＨ過程があれば、これを中止させ、
【０１２６】
−明白にシグナリングされたｒａ−ＰｒｅａｍｂｌｅＩｎｄｅｘ及びｒａ−ＰＲＡＣＨ−ＭａｓｋＩｎｄｅｘがあれば、これを廃棄し、
【０１２７】
−Ｍｓｇ３バッファーをフラッシュし、
【０１２８】
−トリガーされたスケジューリング要求過程があれば、これを取り消し、
【０１２９】
−トリガーされたバッファー状態報告過程があれば、これを取り消し、
【０１３０】
−トリガーされたパワーヘッドルーム報告過程があれば、これを取り消し、
【０１３１】
−全てのＤＬ  ＨＡＲＱプロセスに対するソフトバッファーをフラッシュし、
【０１３２】
−それぞれのＤＬ  ＨＡＲＱプロセスに対し、ＴＢに対する次の受信された伝送を最初の一番目伝送と見なし、
【０１３３】
−一時的なＣ−ＲＮＴＩがあれば、これを取り消す。
【０１３４】
図９は活性化／非活性化ＭＡＣ制御要素に対する図である。
【０１３５】
端末が一つ以上のＳＣｅｌｌで構成されれば、ネットワークは前記構成されたＳＣｅｌｌを活性化してから非活性化することができる。ＰＣｅｌｌはいつも活性化する。ネットワークは活性化／非活性化ＭＡＣ制御要素を送信することによってＳＣｅｌｌ（ｓ）を活性化してから非活性化する。また、端末は構成されたそれぞれのＳＣｅｌｌに対してｓＣｅｌｌＤｅａｃｔｉｖａｔｉｏｎＴｉｍｅｒタイマーを維持し、このタイマーが満了すれば、関連のＳＣｅｌｌを非活性化する。同じ初期タイマー値がそれぞれのｓＣｅｌｌＤｅａｃｔｉｖａｔｉｏｎＴｉｍｅｒに適用され、これはＲＲＣによって構成される。前記構成されたＳＣｅｌｌは追加時にかつハンドオーバー後に最初に非活性化する。
【０１３６】
端末はそれぞれのＴＴＩに対してそれぞれのＳＣｅｌｌを構成し、構成されたそれぞれのＳＣｅｌｌに対し、
【０１３７】
端末がＳＣｅｌｌを活性化するＴＴＩで活性化／非活性化ＭＡＣ制御要素を受信すれば、端末はＴＴＩでＳＣｅｌｌを活性化することができる。端末は、前記ＳＣｅｌｌに対し、ｉ）ＳＣｅｌｌ上でのＳＲＳ伝送、ｉｉ）ＳＣｅｌｌに対するＣＱＩ／ＰＭＩ／ＲＩ／ＰＴＩ報告、ｉｉｉ）ＳＣｅｌｌ上でのＰＤＣＣＨモニタリング又はｉｖ）ＳＣｅｌｌに対するＰＤＣＣＨモニタリングを含む一般的なＳＣｅｌｌ動作を適用することができる。また、端末はＳＣｅｌｌと関連したｓＣｅｌｌＤｅａｃｔｉｖａｔｉｏｎＴｉｍｅｒを開始するか再開し、ＰＨＲをトリガーすることができる。
【０１３８】
端末がＳＣｅｌｌを非活性化させるＴＴＩで活性化／非活性化ＭＡＣ制御要素を受信するか、活性化したＳＣｅｌｌと関連したｓＣｅｌｌＤｅａｃｔｉｖａｔｉｏｎＴｉｍｅｒがこのＴＴＩで満了すれば、端末は前記ＴＴＩでＳＣｅｌｌを非活性化し、ＳＣｅｌｌと関連したｓＣｅｌｌＤｅａｃｔｉｖａｔｉｏｎＴｉｍｅｒを中止させ、ＳＣｅｌｌと関連した全てのＨＡＲＱバッファーをフラッシュさせることができる。
【０１３９】
活性化したＳＣｅｌｌ上のＰＤＣＣＨが上りリンクグラント又は下りリンク割当てを指示するか、活性化したＳＣｅｌｌをスケジュールするサービングセル上のＰＤＣＣＨが活性化したＳＣｅｌｌに対する上りリンクグラント又は下りリンク割当てを指示すれば、端末はＳＣｅｌｌと関連したｓＣｅｌｌＤｅａｃｔｉｖａｔｉｏｎＴｉｍｅｒを再開することができる。
【０１４０】
ＳＣｅｌｌが非活性化すれば、端末はＳＣｅｌｌ上でＳＲＳを送信せず、ＳＣｅｌｌ上のＵＬ−ＳＣＨを介して送信し、ＳＣｅｌｌ上のＲＡＣＨを介して送信し、ＳＣｅｌｌ上でＰＤＣＣＨをモニターするかＳＣｅｌｌに対してＰＤＣＣＨをモニターする。
【０１４１】
活性化／非活性化ＭＡＣ制御要素を含むＭＡＣ  ＰＤＵに対するＨＡＲＱフィードバックはＳＣｅｌｌ活性化／非活性化によるＰＣｅｌｌ中断（ｉｎｔｅｒｒｕｐｔｉｏｎ）による影響を受けないこともある。
【０１４２】
活性化／非活性化ＭＡＣ制御要素は表１に示したようなＬＣＩＤを有するＭＡＣ  ＰＤＵサブヘッダーによって識別される。これは、固定大きさを有し、７個のＣ−フィールドと一つのＲフィールドを含む単一オクテット（ｏｃｔｅｔ）で構成される。活性化／非活性化ＭＡＣ制御要素は図９のように定義される。
【０１４３】
【表１】
0006789952.tif 000002
【０１４４】
Ｃｉフィールドは、ＳＣｅｌｌＩｎｄｅｘ  ｉで構成されたＳＣｅｌｌが存在する場合、ＳＣｅｌｌＩｎｄｅｘ  ｉを有するＳＣｅｌｌの活性化／非活性化状態を示す。Ｃｉフィールドは“１”に設定され、ＳＣｅｌｌＩｎｄｅｘ  ｉを有するＳＣｅｌｌが活性化することを示す。Ｃｉフィールドは“０”に設定され、ＳＣｅｌｌＩｎｄｅｘ  ｉを有するＳＣｅｌｌが非活性化することを示す。Ｒフィールドは予備ビットであり、‘０’に設定される。
【０１４５】
ｓＣｅｌｌＤｅａｃｔｉｖａｔｉｏｎＴｉｍｅｒはＳＣｅｌｌ非活性化タイマーである。無線フレームの数を示す値ｒｆ４は４個の無線フレームを示し、ｒｆ８は８個の無線フレームを示す。Ｅ−ＵＴＲＡＮは、端末がＰＳＣｅｌｌ以外の一つ以上のＳＣｅｌｌで構成される場合、前記フィールドを構成する。前記フィールドが存在しなければ、端末はこのフィールドに対して存在する値を削除し、その値が無限に設定されると仮定する。（関連した機能がそれぞれのＳＣｅｌｌに対して独立的に実行されるが）同じ値がセルグループ（すなわち、ＭＣＧ又はＳＣＧ）のそれぞれのＳＣｅｌｌに対して適用される。
【０１４６】
Ｒｅｌ−１２までは、セルグループ内で一つのセル、すなわちいつも活性化するＣＡ／ＤＣ内の特殊なセルのみがＰＵＣＣＨリソースで構成されることができる。Ｒｅｌ−１３では、特殊なセルから他のセルにＰＵＣＣＨトラフィックをオフロードするために、前記特殊なセルを除いた他のセルがＰＵＣＣＨリソースで構成されることができる。
【０１４７】
レガシー方式では、ＰＹＵＣＣＨリソースで構成される一つのセルが存在するので、与えられたＴＴＩで一つのＰＵＣＣＨリソースのみが存在し、端末は構成された全てのセルのＡＣＫとＮＡＣＫフィードバックを集め、前記ＰＵＣＣＨリソースを介してＨＡＲＱフィードバックを送信する。端末が非活性化状態のセルに対するフィードバックをＮＡＣＫと見なすことに留意する。
【０１４８】
Ｒｅｌ−１３において、ネットワークが端末に対して多数のＰＵＣＣＨリソースを構成しようとすれば、ｉ）端末に対してどのように多数のＰＵＣＣＨリソースを構成するか、ｉｉ）端末に対して構成されたセルのＨＡＲＱフィードバックをどのように多重化するか、ｉｉｉ）ネットワークにＨＡＲＱフィードバックをどのように送信するかを考慮した新しいメカニズムが要求される。
【０１４９】
図１０は本発明の実施例による搬送波集成システムでの多重化したＨＡＲＱフィードバックの伝送に対する概念図である。
【０１５０】
本発明において、端末はＰＵＣＣＨグループ当たり一つのＰＵＣＣＨセルで構成され、前記ＰＵＣＣＨグループに属する全ての構成されたセルの全てのＨＡＲＱプロセスのＨＡＲＱフィードバックを多重化させて多重化したＨＡＲＱフィードバックを生成し、この多重化したＨＡＲＱフィードバックをＰＵＣＣＨグループの前記ＰＵＣＣＨセル上で送信する。このために、ＰＵＣＣＨグループは一つのＰＵＣＣＨセルと０個又はそれ以上の非ＰＵＣＣＨセル（ｎｏｎ−ＰＵＣＣＨ  ｃｅｌｌ）を備える。
【０１５１】
このようにＰＵＣＣＨセルはＰＵＣＣＨリソースで構成されたセルを意味し、非ＰＵＣＣＨセルはＰＵＣＣＨリソースで構成されないセルを意味する。
【０１５２】
端末は基地局に属する多数のセルを第１ＰＵＣＣＨ（Ｐｈｙｓｉｃａｌ  Ｕｐｌｉｎｋ  Ｃｏｎｔｒｏｌ  Ｃｈａｎｎｅｌ）グループと第２ＰＵＣＣＨグループにグループ化する。ここで、多数のセルのそれぞれは第１ＰＵＣＣＨグループ及び第２ＰＵＣＣＨグループの一つに属する（Ｓ１００１）。この場合、端末は第１ＰＵＣＣＨグループにおいてＰＵＣＣＨリソースで第１セルを構成し、第２ＰＵＣＣＨグループにおいてＰＵＣＣＨリソースで第２セルを構成する（Ｓ１００３）。
【０１５３】
好ましくは、第１ＰＵＣＣＨグループは第１セルと、０個又はそれ以上のＰＵＣＣＨリソースを有しないセルとを備え、第２ＰＵＣＣＨグループは第２セルと、０個又はそれ以上のＰＵＣＣＨリソースを有しないセルとを備える。
【０１５４】
言い換えれば、ＰＵＣＣＨリソースを有する第１セルは第１ＰＵＣＣＨグループでＰＵＣＣＨリソースを有しない０個又はそれ以上のセルと関連し、ＰＵＣＣＨリソースを有する第２セルは第２ＰＵＣＣＨグループでＰＵＣＣＨリソースを有しない０個又はそれ以上のセルと関連する。“非ＰＵＣＣＨセルがＰＵＣＣＨセルと関連（又はマッピング）するとすれば、これは非ＰＵＣＣＨリソースのＨＡＲＱフィードバックがそのＰＵＣＣＨセル上で送信されることを意味する。
【０１５５】
ＨＡＲＱフィードバックがセルの少なくとも一つのＨＡＲＱプロセスに対して送信される必要があるＴＴＩにおいて、端末は第１ＰＵＣＣＨグループに属する全てのセルの全てのＨＡＲＱプロセスのＨＡＲＱフィードバックを多重化して第１ＨＡＲＱフィードバックを生成し、第２ＰＵＣＣＨグループに属する全てのセルの全てのＨＡＲＱプロセスのＨＡＲＱフィードバックを多重化して第２ＨＡＲＱフィードバックを生成する（Ｓ１００５）。
【０１５６】
好ましくは、受信されたＴＢを成功裏にデコードするＨＡＲＱプロセスのみがＨＡＲＱフィードバックをＡＣＫとして生成する。他の全てのＨＡＲＱプロセスはＨＡＲＱフィードバックをＮＡＣＫとして生成する。例えば、ＨＡＲＱプロセスが非活性化したセルに割り当てられたか、何らのＴＢを受信することができなかったか、受信したＴＢをデコードするのに失敗した場合、端末はＨＡＲＱフィードバックをＮＡＣＫと見なす。
【０１５７】
言い換えれば、端末が第１ＰＵＣＣＨグループに属する全てのセルの全てのＨＡＲＱプロセスのＨＡＲＱフィードバックを多重化するとき、端末は第１ＰＵＣＣＨグループに属するセルのＨＡＲＱプロセスが受信したＴＢ（Ｔｒａｎｓｐｏｒｔ  Ｂｌｏｃｋ）を成功裏にデコードする場合、このＨＡＲＱプロセスのＨＡＲＱフィードバックをＡＣＫ（Ａｃｋｎｏｗｌｅｇｄｅｍｅｎｔ）と見なし、第１ＰＵＣＣＨグループに属するセルのＨＡＲＱプロセスが非活性化セルに割り当てられたりＴＢを受信することができなくなったり受信したＴＢのデコーディングに失敗した場合、このＨＡＲＱプロセスのＨＡＲＱフィードバックをＮＡＣＫ（Ｎｅｇａｔｉｖｅ−Ａｃｋｎｏｗｌｅｇｄｅｍｅｎｔ）と見なす。そして、端末が第２ＰＵＣＣＨグループに属する全てのセルの全てのＨＡＲＱプロセスのＨＡＲＱフィードバックを多重化するとき、端末は第２ＰＵＣＣＨグループに属するセルのＨＡＲＱプロセスが受信したＴＢを成功裏にデコードする場合、このＨＡＲＱプロセスのＨＡＲＱフィードバックをＡＣＫと見なし、第２ＰＵＣＣＨグループに属するセルのＨＡＲＱプロセスが非活性化セルに割り当てられたりＴＢを受信することができなくなったり受信したＴＢのデコーディングに失敗した場合、このＨＡＲＱプロセスのＨＡＲＱフィードバックをＮＡＣＫと見なす。
【０１５８】
その後、端末はＰＵＣＣＨリソースを有する第１セル上で第１ＨＡＲＱフィードバックを送信し、ＰＵＣＣＨリソースを有する第２セル上で第２ＨＡＲＱフィードバックを送信する（Ｓ１００７）。
【０１５９】
図１１は本発明の実施例による搬送波集成システムでの多重化したＨＡＲＱフィードバックの伝送に対する概念図である。
【０１６０】
端末はＰＵＣＣＨリソースで第１セルを構成し、ＰＵＣＣＨリソースで第２セルを構成する。ここで、前記第１セルと第２セルは基地局に属する（Ｓ１１０１）。また、端末はＰＵＣＣＨリソースを有しない０個又はそれ以上の第３セルを構成し、この０個又はそれ以上の第３セルは第１セル及び第２セルの一つと関連する（Ｓ１１０３）。
【０１６１】
このように、ＰＵＣＣＨセルはＰＵＣＣＨリソースで構成されるセルを意味し、非ＰＵＣＣＨセルはＰＵＣＣＨリソースで構成されないセルを意味する。よって、第１セルと第２セルはＰＵＣＣＨセルであり、０個又はそれ以上の第３セルは非ＰＵＣＣＨセルである。
【０１６２】
“非ＰＵＣＣＨセルがＰＵＣＣＨセルと関連（又はマッピング）すると、これは非ＰＵＣＣＨリソースのＨＡＲＱフィードバックがそのＰＵＣＣＨセル上で送信されることを意味する。
【０１６３】
端末が第１セルを構成するとき、端末はＰＵＣＣＨリソースを有しない前記０個又はそれ以上の第３セルのうちのいずれのセルが第１セルと関連するかを示す指示（ｉｎｄｉｃａｔｉｏｎ）を受信する。端末が第２セルを構成するとき、端末はやはりＰＵＣＣＨリソースを有しない前記０個又はそれ以上の第３セルのうちのいずれのセルが第２セルと関連するかを示す指示を受信する。
【０１６４】
好ましくは、前記指示はＰＵＣＣＨリソース、又はＰＵＣＣＨセルにマッピングされる非ＰＵＣＣＨセルを示す指示を含む。
【０１６５】
端末がＰＵＣＣＨセルを構成する制御シグナリングを受信すれば、端末は前記ＰＵＣＣＨセルと制御シグナリングが示す非ＰＵＣＣＨセルが前記ＰＵＣＣＨセルを用いるＰＵＣＣＨグループに属するものと見なすであろう。
【０１６６】
一方、端末が第１セルを構成するとき、前記指示を受信しなければ、第１セルは０個又はそれ以上の第３セルのうちいずれのものとも関連しない。
【０１６７】
端末が前記０個又はそれ以上の第３セルのうちで第３セルを構成するとき、端末はＰＵＣＣＨリソースで構成されたいずれのセルが前記第３セルと関連するかを示す指示を受信する。
【０１６８】
好ましくは、前記指示はＰＵＣＣＨリソース又は非ＰＵＣＣＨセルのＨＡＲＱプロセスのＨＡＲＱフィードバックが送信されるＰＵＣＣＨセルを示す指示を含む。
【０１６９】
端末が非ＰＵＣＣＨセルを構成する制御シグナリングを受信すれば、端末は前記非ＰＵＣＣＨセルが、制御シグナリングが示すＰＵＣＣＨセルを使うＰＵＣＣＨグループに属するものと見なすであろう。
【０１７０】
端末が前記０個又はそれ以上の第３セルのうちで前記第３セルを構成するとき、前記指示を受信しなければ、端末は前記非ＰＵＣＣＨセルがデフォルトＰＵＣＣＨグループ、すなわちＰＣｅｌｌ又はＰＳＣｅｌｌを使うＰＵＣＣＨグループに属するものと見なすであろう。これは第３セルがＰＣｅｌｌと関連することを意味する。
【０１７１】
端末は第１セルと第１セルと関連した第３セルの全てのＨＡＲＱプロセスのＨＡＲＱフィードバックを多重化して第１ＨＡＲＱフィードバックを生成し、第２セルと第２セルと関連した第３セルの全てのＨＡＲＱプロセスのＨＡＲＱフィードバックを多重化して第２ＨＡＲＱフィードバックを生成する（Ｓ１１０５）。
【０１７２】
この場合、端末が第１ＰＵＣＣＨグループに属する全てのセルの全てのＨＡＲＱプロセスのＨＡＲＱフィードバックを多重化するとき、端末は第１ＰＵＣＣＨグループに属するセルのＨＡＲＱプロセスが受信したＴＢ（Ｔｒａｎｓｐｏｒｔ  Ｂｌｏｃｋ）を成功裏にデコードした場合、このＨＡＲＱプロセスのＨＡＲＱフィードバックをＡＣＫ（Ａｃｋｎｏｗｌｅｇｄｅｍｅｎｔ）と見なし、第１ＰＵＣＣＨグループに属するセルのＨＡＲＱプロセスが非活性化セルに割り当てられたりＴＢを受信することができなくなったり受信したＴＢのデコーディングに失敗した場合、このＨＡＲＱプロセスのＨＡＲＱフィードバックをＮＡＣＫ（Ｎｅｇａｔｉｖｅ−Ａｃｋｎｏｗｌｅｇｄｅｍｅｎｔ）と見なす。そして、端末が第２ＰＵＣＣＨグループに属する全てのセルの全てのＨＡＲＱプロセスのＨＡＲＱフィードバックを多重化するとき、端末は第２ＰＵＣＣＨグループに属するセルのＨＡＲＱプロセスが受信したＴＢを成功裏にデコード下場合、このＨＡＲＱプロセスのＨＡＲＱフィードバックをＡＣＫと見なし、第２ＰＵＣＣＨグループに属するセルのＨＡＲＱプロセスが非活性化セルに割り当てられたりＴＢを受信することができなくなったり受信したＴＢのデコーディングに失敗した場合、このＨＡＲＱプロセスのＨＡＲＱフィードバックをＮＡＣＫと見なす。
【０１７３】
その後、端末はＰＵＣＣＨリソースを有する第１セル上で第１ＨＡＲＱフィードバックを送信し、ＰＵＣＣＨリソースを有する第２セル上で第２ＨＡＲＱフィードバックを送信する（Ｓ１１０７）。
【０１７４】
図１２Ａ及び図１２Ｂは本発明の実施例による搬送波集成システムで多重化したＨＡＲＱフィードバックを送信する例を示す図である。
【０１７５】
図１２Ａはグループ当たり一つのＰＵＣＣＨ構成に対する例を示す。
【０１７６】
基地局はセルをグループ化し、端末に対して多数のＰＵＣＣＨセルを構成する。一つのグループにおいて（以下ＰＵＣＣＨグループと言う）、一つのＰＵＣＣＨセルのみが存在し、端末はＰＵＣＣＨグループ内の全てのセルのＨＡＲＱフィードバックを前記ＰＵＣＣＨセルで送信する。端末はある一時点で多数のＰＵＣＣＨ伝送を行うこともできる。
【０１７７】
図１２Ａの場合、ＲＡＮ２はＰＵＣＣＨグループとＰＵＣＣＨグループに属するセルをどのように示すか、ＰＵＣＣＨグループをどのように変更するか（ＰＵＣＣＨセルの除去／変更）などを論議する必要がある。端末の観点で、多数のＰＵＣＣＨグループが存在することができるので、多数のＰＵＣＣＨ伝送が同時に行われることができる。ＰＵＣＣＨグループの数によって、ＲＡＮ２は例えば電力制限を考慮してどのように多数のセル上でのＰＵＣＣＨ伝送を支援するかを論議する必要がある。
【０１７８】
図１２Ｂは各端末当たり多数のＰＵＣＣＨ構成に対する例を示す。
【０１７９】
基地局は一つの端末に対して多数のＰＵＣＣＨセルを構成する。端末は全てのセルのＨＡＲＱフィードバックをある一時点でＰＵＣＣＨセルの一つを介して送信する。
【０１８０】
多数のＰＵＣＣＨセルが存在することができるので、ある一時点でＨＡＲＱフィードバック伝送のために使われるＰＵＣＣＨセルは特定の基準に従って基地局又は端末によって決定されることができる。
【０１８１】
発明者が理解したものによると、二つのモデルが共に一つの端末に対して多数のＰＵＣＣＨセルを構成することによってＰＵＣＣＨオフローディングを達成する。しかし、モデル１（図１２Ａの場合）は、ＰＵＣＣＨグループのＰＵＣＣＨセルの除去／変更及びＰＵＣＣＨグループの追加／除去／変更を支援するために、過程／シグナリング設計の標準化のための努力をもっと必要とする。また、モデル１は制限された端末の電力を用いた多数のＰＵＣＣＨセルを介したＰＵＣＣＨ同時伝送を支援するために端末複雑度を増加させる。モデル１をＤＣでそれぞれのセルグループに適用することを考慮すれば、ＰＵＣＣＨ同時伝送の回数はＤＣで増加する。したがって、制限された端末の電力を用いた成功裏なＰＵＣＣＨ伝送を保障することを考慮しなければならない。一方、モデル２の場合（図１２Ｂの場合）、ＰＵＣＣＨセルの除去／変更は少なくとも一つのセル、すなわちＰＣｅｌｌが全てのセルに対していつもＰＵＣＣＨで構成されるから、モデル１でより容易である。したがって、モデル２はもっと柔軟で動的なＰＵＣＣＨオフローディングを提供すると思われる。
【０１８２】
以上で説明した実施例は本発明の構成要素及び特徴が所定の形態に結合されたものである。それぞれの構成要素又は特徴は他の明示的言及がない限り選択的なものとして考慮されなければならない。それぞれの構成要素又は特徴は他の構成要素又は特徴と結合されない形態に実施可能である。また、一部の構成要素及び／又は特徴を結合して本発明の実施例を構成することも可能である。本発明の実施例で説明する動作の順序は変更可能である。ある実施例の一部の構成又は特徴は他の実施例に含まれることができ、あるいは他の実施例の対応する構成又は特徴に入れ替えられることができる。特許請求範囲で明示的な引用関係がない請求項を結合して実施例を構成するかあるいは出願後の補正によって新たな請求項として含ませることができるのは明らかである。
【０１８３】
本発明の実施例において、基地局（ＢＳ）によって行われるものとして説明された特定の動作は上位ノードのＢＳによって遂行されることもできる。すなわち、ＢＳを含む複数のネットワークノードで、ＭＳとの通信のために行われる多様な動作が基地局によって遂行されるか基地局以外の他のネットワークノードによって遂行されることができるのは明らかである。‘ｅＮＢ’という用語は‘固定局（ｆｉｘｅｄ  ｓｔａｔｉｏｎ）’、‘ＮｏｄｅＢ、‘基地局（ＢＳ）’、アクセスポイントなどに取り替えられることもできる。
【０１８４】
前述した実施例は、例えばハードウェア、ファームウエア、ソフトウェア又はそれらの組合せなどの多様な手段によって具現されることもできる。
【０１８５】
ハードウェア設定において、本発明の実施例による方法は、一つ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラー、マイクロコントローラー、マイクロプロセッサなどによって具現可能である。
【０１８６】
ファームウエア又はソフトウェアによる具現の場合、本発明の実施例による方法は、以上で説明した機能又は動作を行うモジュール、手順又は関数などの形態に具現されることができる。ソフトウェアコードはメモリユニットに記憶され、プロセッサによって駆動されることができる。前記メモリユニットは前記プロセッサの内部又は外部に位置し、既に知られた多様な手段によって前記プロセッサとデータを取り交わすことができる。
【０１８７】
本発明は本発明の特徴を逸脱しない範疇内で他の特定の形態に具体化されることができるのは当業者に明らかである。したがって、前記詳細な説明は全ての面で制限的に解釈されてはいけなく、例示的なものとして考慮しなければならない。本発明の範囲は添付の請求範囲の合理的解釈によって決まらなければならなく、本発明の等価的範囲内の全ての変更は本発明の範囲に含まれる。
【産業上の利用可能性】
【０１８８】
上述した方法は３ＧＰＰ  ＬＴＥシステムに適用される例示を中心に説明したが、本発明は３ＧＰＰ  ＬＴＥシステムだけではなく多様な無線通信システムに適用可能である。
【図１】
0006789952.tif 000003
【図２ａ】
0006789952.tif 000004
【図２ｂ】
0006789952.tif 000005
【図３（ａ）】
0006789952.tif 000006
【図３（ｂ）】
0006789952.tif 000007
【図４】
0006789952.tif 000008
【図５】
0006789952.tif 000009
【図６】
0006789952.tif 000010
【図７】
0006789952.tif 000011
【図８】
0006789952.tif 000012
【図９】
0006789952.tif 000013
【図１０】
0006789952.tif 000014
【図１１】
0006789952.tif 000015
【図１２Ａ】
0006789952.tif 000016
【図１２Ｂ】
0006789952.tif 000017